(57)【要約】【課題】スプリットリングの線材間を軽い力で簡単に押し開くことができるスプリットリング用のプライヤーを提供する。【解決手段】互いに枢着した一対のハンドル部１２と１３の先端側に、それぞれ先細になって対向状に伸延する顎部１５と１６を設け、両顎部１５と１６の先端部に顎部１５と１６の閉じる方向に尖った鋭角の開き爪１７、１８を、両顎部１５と１６を閉じたとき並列する配置で突設し、両開き爪１７、１８の顎部１５と１６側の根元部分にスプリットリングＡを形成する巻き線の係合凹部１９、２０を形成し、ハンドル部１２、１３を握って顎部１５と１６を閉じると、両開き爪１７、１８が巻き線間に両側から食い込むことにより、スプリットリングＡを軽い力で押し開くことができる。【選択図】図１
2009034805.tif 000002
【特許請求の範囲】
【請求項１】
互いに枢着した一対のハンドル部を有し、両ハンドル部の枢着した先端側に、両ハンドル部からそれぞれ対向状に伸延してハンドル部を握ると閉じる一対の顎部を設け、両顎部の先端部に、顎部の閉じる方向に向けて尖り、両顎部を閉じたときに並列する配置となる一対の開き爪を突設したスプリットリングプライヤーにおいて、前記開き爪は二つの傾斜縁によって形成される尖り角度が鋭角に設定され、前記両顎部の閉じたときに重なり合う面で開き爪に対してハンドル側の根元部分の位置にスプリットリングを形成する線材の係合凹部を設け、前記両顎部の係合凹部が両顎部を閉じたときにスプリットリングを形成する線材を挟み込むようになっていることを特徴とするスプリットリング用のプライヤー。
【請求項２】
上記両開き爪は、両顎部を閉じたときに並列するよう両顎部の先端部で幅方向の相反する端部の位置に突設され、かつ、両開き爪は、尖った先端が顎部を閉じたときの顎部重なり面に対し、顎部の開閉方向に沿って相手開き爪側に鋭角の尖り角度で突出し、両顎部の開き爪のない部分の先端面が係合凹部に接して顎部の閉じる方向に重なり面側に下がり傾斜となる傾斜面になっていることを特徴とする請求項１に記載のスプリットリング用のプライヤー。
【請求項３】
上記一対のハンドル部とその先端側にそれぞれ設けた顎部と、両顎部の先端部に設けた開き爪がステンレスを用いて形成されていることを特徴とする請求項１又は２に記載のスプリットリング用のプライヤー。
【請求項４】
上記開き爪の顎部側に位置する傾斜縁と、相手顎部の開き爪のない部分の先端傾斜面は、両顎部を閉じたときに同じ方向で並行する傾斜となり、両顎部を閉じたときに、重なり状となるように形成されていることを特徴とする請求項１乃至３の何れかに記載のスプリットリング用のプライヤー。
【発明の詳細な説明】
【技術分野】
【０００１】  この発明は、魚釣り等において、弾力性の強い鋼線をコイル状に２重巻きしたスプリットリングの線材間を開くために用いるプライヤーに関する。
【背景技術】
【０００２】  例えば、ルアー釣において、道糸と擬似餌や擬似餌と釣り針の結合に、図２（ｃ）で示すようなスプリットリングＡが使用されている。【０００３】  このスプリットリングＡは弾力性の強い鋼線を密着したコイル状に２重巻きしたものであり、その直径は３ｍｍ程度から１０ｍｍをこえるものまであり、使用する線材の線径も直径に比例して太径のものが使用されている。【０００４】  上記のようなスプリットリングＡを用いて道糸と擬似餌や擬似餌と釣り針を結合したり取り外しを行う場合は、２重巻きされた鋼線の端部を押し広げ、擬似餌の環を通すようにしなければならず、この押し広げ作業には鋼線の弾性に逆らって強い力が必要になるため、従来から押し広げ作業に適した工具として図２（ａ）、（ｂ）に示すようなプライヤーが使用されている。【０００５】  図２（ａ）、（ｂ）において、プライヤー１は、一対のハンドル部２と３を枢軸４で結合して開閉自在とし、両ハンドル部２と３の先端に顎部５と６をそれぞれ一体に設け、両顎部５と６は、ラジオペンチ状に先細で長く対向状に伸延するように形成され、ハンドル部２と３の開閉によって顎部５と６も開閉するようになっている。【０００６】  一方顎部５の先端には他方顎部６側に向けて突出する略Ｖ字状の爪７が設けられ、両顎部５と６を閉じたときこの爪７が他方顎部６の先端面８を覆うようになっている。【０００７】  上記プライヤー１でスプリットリングＡを開くには、プライヤー１のハンドル部２と３を一方の手で保持し、他方の手の指先でスプリットリングａを持ち、爪７をスプリットリングＡの２重巻きの間に当て、両顎部５と６を閉じるようにハンドル部２と３を握れば、爪７が２重巻きの間に押し込まれ、傾斜面で巻き線の端部を押し広げることができる。
【発明の開示】
【発明が解決しようとする課題】
【０００８】    ところで、上記した従来のプライヤー１は、一方顎部５の先端に設けた爪７で、巻き線の端部を一方の側から押し開くので、反発弾性の強い巻き線間を押し開くのに大きな抵抗があり、押し開き操作に大きな力が必要になるという問題がある。【０００９】  そこで、この発明の課題は、スプリットリングの線材間の押し開き操作に要する力を軽減し、スプリットリングに対する擬似餌等の結合や取り外し作業が容易に安定よく行えるスプリットリング用のプライヤーを提供することにある。
【課題を解決するための手段】
【００１０】  上記のような課題を解決するため、この発明は、互いに枢着した一対のハンドル部を有し、両ハンドル部の枢着した先端側に、両ハンドル部からそれぞれ対向状に伸延してハンドル部を握ると閉じる一対の顎部を設け、両顎部の先端部に、顎部の閉じる方向に向けて尖り、両顎部を閉じたときに並列する配置となる一対の開き爪を突設したスプリットリングプライヤーにおいて、前記開き爪は二つの傾斜縁によって形成される尖り角度が鋭角に設定され、前記両顎部の閉じたときに重なり合う面で開き爪に対してハンドル側の根元部分の位置にスプリットリングを形成する線材の係合凹部を設け、前記両顎部の係合凹部が両顎部を閉じたときにスプリットリングを形成する線材を挟み込むようになっている構成を採用したものである。【００１１】  上記両開き爪は、両顎部を閉じたときに並列するよう両顎部の先端部で幅方向の相反する端部の位置に突設され、かつ、両開き爪は、尖った先端が顎部を閉じたときの顎部重なり面に対し、顎部の開閉方向に沿って相手開き爪側に鋭角の尖り角度で突出し、両顎部の開き爪のない部分の先端面が係合凹部に接して顎部の閉じる方向に重なり面側に下がり傾斜となる傾斜面になっている構造とすることができる。【００１２】  上記一対のハンドル部とその先端側にそれぞれ設けた顎部と、両顎部の先端部に設けた開き爪がステンレスを用いて形成されているようにしてもよい。【００１３】  また、開き爪の顎部側に位置する傾斜縁と、相手顎部の開き爪のない部分の先端傾斜面は、両顎部を閉じたときに同じ方向で並行する傾斜となり、両顎部を閉じたときに、重なり状となるように形成することができる。【００１４】  ここで、上記顎部の重なり面を粗面に加工してもよいと共に、この顎部はスプリットリンを挟む操作が行いやすいように、先端に向かって先細状となり、両ハンドル部の枢止点から顎部の先端までの長さが例えば６０ｍｍ程度に設定されている。【００１５】  また、開き爪の顎部側に位置する傾斜縁と、相手顎部の開き爪のない部分の先端傾斜面は、顎部の開き爪のない部分の先端面を係合凹部の後方側に位置させることにより、両顎部を閉じたときに係合凹部を挟んで間隔が生じるようにしてもよい。
【発明の効果】
【００１６】  この発明によると、両顎部の先端部に顎部の閉じる方向に尖った一対の開き爪を、両顎部を閉じたとき並列する配置で突設したスプリットリングプライヤーにおいて、前記開き爪は二つの傾斜縁によって形成される尖り角度が鋭角に設定し、両開き爪の顎部側の根元部分にスプリットリングを形成する線材の係合凹部を形成したので、２重巻きされた巻き線の端部に爪を押し込んで巻き線の線材間を押し広げるとき、巻き線の線材間に両側から鋭角の開き爪が食い込むので、強い弾性のスプリットリングであっても、巻き線の押し開きが軽い力で簡単に行えるようになる。【００１７】  また、両開き爪の顎部側の根元部分にスプリットリングを形成する巻き線の係合凹部を形成したので、押し開いた巻き線の手前側を係合凹部で保持することができ、押し開いたスプリットリングの姿勢がスプリットリングプライヤーの先端で安定した固定状態となり、スプリットリングに対する疑似餌等の結合や取り外し作業が容易に行えるようになる。【００１８】  更に、一対のハンドル部とその先端側にそれぞれ設けた顎部と、両顎部の先端部に設けた開き爪がステンレスを用いて形成したので、見た目がきれいなだけでなく、魚釣りにおいて水分や塩分が付着しても錆の発生がなく、使用後の手入れが簡単になる。
【発明を実施するための最良の形態】
【００１９】  以下、この発明の実施の形態を添付図面の図１に基づいて説明する。【００２０】  図１（ａ）のように、スプリットリング用のプライヤー１１は、一対のハンドル部１２と１３の先端側を枢軸１４で開閉自在に結合し、両ハンドル部１２と１３の先端に顎部１５と１６をそれぞれ一体に設け、両顎部１５と１６は、ラジオペンチ状に先細で長く対向状に伸延するように形成され、ハンドル部１２と１３の開閉によって顎部１５と１６も同様に開閉するようになっている。【００２１】  なお、スプリットリング用のプライヤー１１は、図示例のような、一対のハンドル部１２と１３の先端側を重ね合わせて枢軸１４で開閉自在に結合した構造に限るものではなく、例えば、一方ハンドル部材の先端側に両側面で開放する角孔を設け、他方ハンドル部材の厚みを薄くした先端側をこの角孔内に挿入し、この嵌り合い部分を枢軸で結合し、ハンドル部１２と１３の開閉によってその先端に設けた顎部１５と１６も同様に開閉する構造としてもよい。【００２２】  図１（ａ）乃至（ｄ）に示すように、両顎部１５と１６の先端部に、顎部１５と１６の閉じる方向に尖った一対の開き爪１７、１８が、両顎部１５と１６を閉じたとき並列する配置で突設され、更に両顎部１５と１６の重なり面には、両開き爪１７、１８の枢軸１４側の根元部分にスプリットリングＡを形成する巻き線の係合凹部１９、２０が幅方向に形成されている。【００２３】  上記両開き爪１７、１８は、顎部１５と１６の閉じたときの重なり面に対して、両顎部１５と１６の開閉方向に沿って相手開き爪側に略Ｖ字状に突出し、かつ、両開き爪１７、１８は、両顎部１５と１６の先端部で幅方向の相反する端部の位置に前方に向けて延長状に突設され、両顎部１５と１６の開き爪１７、１８のない部分の先端面が係合凹部１９、２０に接して顎部１５と１６の閉じる方向に下がり傾斜となる先端傾斜面２１、２２になっている。【００２４】  前記係合凹部１９、２０は、スプリットリングＡの巻き線の線材径に見合う程度の径となる円弧状の浅い溝であり、両開き爪１７、１８の前方端は略Ｖ字状に尖っている。【００２５】  図示の場合、両顎部１５と１６の対向面に、しず押さえ２３とテングス切り２４とが設けられ、図示省略したが、ハンドル部１２と１３の間に常時拡開させるためのスプリングを縮設するようにしてもよい。また、両開き爪１７、１８の両顎部１５と１６の幅方向における突設位置は、図示に限定されるものではなく、両顎部１５と１６の幅方向に対して両開き爪１７、１８を図示と逆に配置してもよい。【００２６】  なお、上記ハンドル部１２と１３と顎部１５と１６、両開き爪１７、１８等は、工具用の各種金属材料、例えばステンレスを用いて形成し、魚釣りでの使用において水分や塩分が付着しても錆の発生を防ぎ、耐久性の向上と手入れの簡略化を図るようにすると共に、顎部１５と１６の重なり面に粗面を加工してもよいと共に、この顎部１５と１６の長さは任意に設定できるが、スプリットリングＡを挟む操作が行いやすいように、先端に向かって先細状となり、両ハンドル部１２と１３の枢止点から顎部１５と１６の先端までの長さが例えば６０ｍｍ程度に設定することが好ましい。【００２７】  また、開き爪１７と１８の顎部１５と１６側に位置する傾斜縁と、相手顎部１５又は１６の開き爪１７又は１８のない部分の先端傾斜面２１、２２とは、両顎部１５と１６を閉じたときに同じ方向で並行する傾斜となるように設定され、図示実線の場合、この開き爪１７又は１８の顎部１５又は１６側に位置する傾斜縁と、相手顎部１５又は１６の開き爪１７又は１８のない部分の先端傾斜面２１、２２とは、顎部１５又は１６の開き爪１７又は１８のない部分の先端傾斜面２１、２２を係合凹部１９、２０の後方側に位置させることにより、両顎部１５と１６を閉じたときに係合凹部１９、２０を挟んで間隔が生じるようにしている。【００２８】  これとは別に、図１（ｂ）と（ｃ）に一点鎖線で示すように、顎部１５と１６の開き爪１７と１８のない部分の先端傾斜面２１、２２を係合凹部１９、２０の先端側に位置するように設けることにより、両顎部１５と１６を閉じたときに、開き爪１７又は１８の顎部１５又は１６側に位置する傾斜縁と、先端傾斜面２１、２２が重なり状となるように形成することができる。【００２９】  このようにすると、両顎部１５と１６の係合凹部１９、２０を設ける部分の横幅を広く設定することができ、この結果、係合凹部１９、２０の長さが長くなり、両顎部を閉じて係合凹部１９、２０でスプリットリングＡを形成する線材を挟み込んだ場合のスプリットリングＡの保持力と安定性が向上する。【００３０】  この発明のスプリットリング用のプライヤーは上記のような構成であり、スプリットリングＡを開くには、プライヤー１１のハンドル部１２と１３を一方の手で開き状態に保持し、他方の手の指先でスプリットリングＡを保持し、ハンドル部１２と１３を軽く閉じて接近した開き爪１７と１８の先端でスプリットリングＡの２重巻きの巻き線間を軽く挟み、スプリットリングＡから手を放した状態で、ハンドル部１２と１３を強く握りって、両顎部１５と１６を閉じさせれば、図１（ｂ）のように鋭角の開き爪１７と１６が２重巻きの巻き線間に両側から押し込まれ、２重巻きされた巻き線の間を両側から同時に押し広げることができる。【００３１】  このように、鋭角の開き爪１７と１８を２重巻きの巻き線間に両側から押し込ことにより、巻き線の押し開きに要する力が両開き爪１７と１８に分散され、この結果、一方からの押し開きに比べて押し開きに要する力を半減でき、巻き線の押し開きが軽い力で行えることになる。【００３２】  また、両顎部１５と１６を完全に閉じた状態で、図１（ｃ）のように、両開き爪１７と１８の食い込みが最大で巻き線の押し開き量も最大となり、このとき、手前側に位置する巻き線は、両開き爪１７と１８の顎部側の根元部分に位置する係合凹部１９、２０間に収まり、かつ、該巻き線の軸方向が先端傾斜面２１、２２に当接し、これにより、スプリットリングＡの２重巻きされた巻き線の内周を支持することができ、これによってスプリットリングＡは、両顎部１５と１６の先端部に、巻き線が両顎部１５と１６と直交する姿勢で安定よく固定保持され、スプリットリングＡに対する結合や取り外し作業が簡単に行えることになる。
【図面の簡単な説明】
【００３３】
【図１】（ａ）はこの発明のスプリットリング用のプライヤーを示す正面図、（ｂ）はスプリットリングの初期の押し開き状態を示す同上要部の拡大正面図、（ｃ）はスプリットリングの完全な押し開き状態を示す同上要部の拡大正面図、（ｄ）はスプリットリング用のプライヤーの先端部分の構造を示す拡大斜視図
【図２】（ａ）は従来のスプリットリングプライヤーの正面図、（ｂ）はスプリットリングの押し開き状態を示す同上要部の拡大正面図、（ｃ）はスプリットリングの斜視図
【符号の説明】
【００３４】１１          スプリットリング用のプライヤー
１２、１３    ハンドル部
１４          枢軸
１５、１６    顎部
１７、１８    開き爪
１９、２０    係合凹部
２１、２２    先端傾斜面
Ａ            スプリットリング
【図１】
2009034805.tif 000003
【図２】
2009034805.tif 000004